(57)【要約】【課題】フレキシブルプリント配線板の損傷を抑制できる電子機器を提供する。【解決手段】一つの実施の形態に係る電子機器は、部品と、コネクタと、フレキシブルプリント配線板と、タブと、を有する。前記部品は、第１の面と、前記第１の面の反対側に位置した第２の面と、前記第１の面と前記第２の面とをつないだ縁部と、を有する。前記コネクタは前記第１の面に面する。前記フレキシブルプリント配線板は、前記第２の面に面した第１の部分と、前記第１の面に面した第２の部分と、前記第１の部分と前記第２の部分との間にあるとともに前記縁部に面した曲げられた第３の部分と、前記第２の部分に設けられて前記コネクタに接続された端子と、を有する。前記タブは、前記フレキシブルプリント配線板に取り付けられた取付部と、前記フレキシブルプリント配線板に沿って前記取付部から前記端子に向かって延びた延出部と、を有する。【選択図】図３
2015056265.tif 000002
【特許請求の範囲】
【請求項１】
第１の面と、前記第１の面の反対側に位置した第２の面と、前記第１の面と前記第２の面とをつないだ縁部と、を有した部品と、
前記第１の面に面したコネクタと、
前記第２の面に面した第１の部分と、前記第１の面に面した第２の部分と、前記第１の部分と前記第２の部分との間にあるとともに前記縁部に面した曲げられた第３の部分と、前記第２の部分に設けられて前記コネクタに接続された端子と、を有したフレキシブルプリント配線板と、
前記フレキシブルプリント配線板に取り付けられた取付部と、前記フレキシブルプリント配線板に沿って前記取付部から前記端子に向かって延びた延出部と、を有したタブと、
を具備する電子機器。
【請求項２】
前記取付部が前記第１の部分に取り付けられた、請求項１の電子機器。
【請求項３】
前記取付部から離れた位置で前記端子に取り付けられ、前記端子とともに前記コネクタに取り付けられる補強部材をさらに具備する請求項２の電子機器。
【請求項４】
前記フレキシブルプリント配線板の、前記タブの前記取付部が取り付けられた部分から前記端子までの長さは、前記タブの、前記取付部から前記延出部の先端までの長さよりも短い、請求項２の電子機器。
【請求項５】
前記延出部は、前記第３の部分に沿って曲げられ、前記第３の部分を覆った、請求項４の電子機器。
【請求項６】
前記第３の部分は、前記縁部に面した内面と、前記内面の反対側に位置した外面と、を有し、
前記延出部が前記第３の部分の前記外面を覆った、請求項５の電子機器。
【請求項７】
前記延出部が前記部品に固定された請求項６の電子機器。
【請求項８】
前記第１の部分の前記取付部が取り付けられる部分は、前記第３の部分から離れた請求項１の電子機器。
【請求項９】
前記第１の部分が前記部品に対して移動可能である請求項２の電子機器。
【請求項１０】
第１の面と、前記第１の面の反対側に位置した第２の面と、前記第１の面と前記第２の面とをつないだ縁部と、を有した部品と、
前記第１の面に面したコネクタと、
前記第２の面に面した第１の部分と、前記第１の面に面した第２の部分と、前記第１の部分と前記第２の部分との間にあるとともに前記縁部に面した曲げられた第３の部分と、前記第２の部分に設けられて前記コネクタに接続された端子と、を有したフレキシブルプリント配線板と、
前記第１の部分又は前記第２の部分に取り付けられた取付部と、前記フレキシブルプリント配線板に沿って前記取付部から延び、前記第３の部分を覆った延出部と、を有したタブと、
を具備する電子機器。
【請求項１１】
筐体と、
前記筐体に収容されたコネクタと、
前記筐体に収容され、前記コネクタに取り付けられた第１の端部と、前記第１の端部の反対側にある第２の端部と、厚さ方向に屈曲された屈曲区間と、を有したフレキシブルプリント配線板と、
前記屈曲区間の中央部と前記第２の端部との間で前記フレキシブルプリント配線板に結合されたタブと、
を具備する電子機器。
【請求項１２】
前記屈曲区間が前記第２の端部よりも前記第１の端部の近くにある請求項１１の電子機器。
【発明の詳細な説明】
【技術分野】
【０００１】
本発明の実施形態は、電子機器に関する。
【背景技術】
【０００２】
電子機器はフレキシブルプリント配線板を有することがある。
【先行技術文献】
【特許文献】
【０００３】
【特許文献１】特開２００１−１１８６２０号公報
【発明の概要】
【発明が解決しようとする課題】
【０００４】
例えば曲げられることにより、フレキシブルプリント配線板が損傷するおそれがある。
【０００５】
本発明が解決する課題の一つは、フレキシブルプリント配線板の損傷を抑制できる電子機器を提供することである。
【課題を解決するための手段】
【０００６】
一つの実施の形態に係る電子機器は、部品と、コネクタと、フレキシブルプリント配線板と、タブと、を有する。前記部品は、第１の面と、前記第１の面の反対側に位置した第２の面と、前記第１の面と前記第２の面とをつないだ縁部と、を有する。前記コネクタは前記第１の面に面する。前記フレキシブルプリント配線板は、前記第２の面に面した第１の部分と、前記第１の面に面した第２の部分と、前記第１の部分と前記第２の部分との間にあるとともに前記縁部に面した曲げられた第３の部分と、前記第２の部分に設けられて前記コネクタに接続された端子と、を有する。前記タブは、前記フレキシブルプリント配線板に取り付けられた取付部と、前記フレキシブルプリント配線板に沿って前記取付部から前記端子に向かって延びた延出部と、を有する。
【図面の簡単な説明】
【０００７】
【図１】図１は、第１の実施の形態に係るポータブルコンピュータを示す斜視図である。
【図２】図２は、第１の実施形態の第１の部分の一部を示す平面図である。
【図３】図３は、第１の実施形態の第１の部分の一部を示す断面図である。
【図４】図４は、第１の実施形態のＦＰＣの一部を示す断面図である。
【図５】図５は、第１の実施形態のＦＰＣが取り付けられたコネクタを示す斜視図である。
【図６】図６は、第１の実施形態のＰＣＢ及びＦＰＣの一部を示す断面図である。
【図７】図７は、第１の実施形態のＰＣＢとコネクタに挿入されるＦＰＣとを部分的に示す断面図である。
【図８】図８は、第２の実施の形態に係るＰＣＢ及びＦＰＣを示す断面図である。
【図９】図９は、第３の実施の形態に係るＰＣＢ及びＦＰＣを示す断面図である。
【図１０】図１０は、第３の実施形態のＰＣＢとコネクタに取り付けられたＦＰＣとを部分的に示す断面図である。
【発明を実施するための形態】
【０００８】
以下に、第１の実施の形態について、図１乃至図７を参照して説明する。なお、本明細書においては基本的に、ユーザ側を前方、ユーザから遠い側を後方、ユーザから見て左側を左方向、ユーザから見て右側を右方向、ユーザから見て上方を上方向、ユーザから見て下方を下方向と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、ポータブルコンピュータ１０を示す斜視図である。ポータブルコンピュータ１０は、電子機器の一例である。なお、電子機器はポータブルコンピュータ１０に限らず、例えば、パーソナルコンピュータ、テレビジョン受像装置、タブレット型デバイス、レコーダ、プリンタ、ゲーム機、カーナビゲーションシステムのような、種々の機器であっても良い。
【００１０】
図１に示すように、ポータブルコンピュータ１０は、第１の部分１１と、第２の部分１２とを有する。第１の部分１１は、例えば、ユニット、モジュール、ベース、又は本体のようにも称され得る。第２の部分１２は、例えば、ユニット、モジュール、ディスプレイ、モニタ、又は表示部のようにも称され得る。
【００１１】
第１の部分１１は、第１の筐体２０と、キーボード２１と、タッチパッド２２と、一対のスピーカ２３と、複数の外部接続コネクタ２４とを有する。キーボード２１及びタッチパッド２２は、入力部とも称され得る。外部接続コネクタ２４は、例えば、部品又は電子部品とも称され得る。
【００１２】
キーボード２１、タッチパッド２２、及びスピーカ２３は、第１の筐体２０の上面２０ａに設けられる。なお、キーボード２１、タッチパッド２２、及びスピーカ２３は、他の場所にあっても良い。外部接続コネクタ２４は、第１の筐体２０の側面２０ｂに開口する。外部接続コネクタ２４は、例えば、ＵＳＢコネクタ、ＨＤＭＩ（登録商標）出力端子、ＲＧＢコネクタ、及びイヤホンジャックである。
【００１３】
第１の筐体２０は、トップカバー２７と、ボトムカバー２８とを有する。トップカバー２７は、厚さ方向にボトムカバー２８に重ねられ、例えばネジや爪によってボトムカバー２８に取り付けられる。トップカバー２７は、第１の筐体２０の上面２０ａを形成する。トップカバー２７及びボトムカバー２８は、協働して第１の筐体２０の側面２０ｂを形成する。
【００１４】
第２の部分１２は、ヒンジ部３１によって、第１の部分１１の後端部に取り付けられる。第２の部分１２は、第１の部分１１に対して、閉じ位置と、開き位置との間で例えば約１８０°回動可能である。前記閉じ位置において、第２の部分１２が第１の部分１１と重なり、第１の筐体２０の上面２０ａが第２の部分１２に覆われる。前記開き位置において、第２の部分１２が第１の部分１１と並び、第１の筐体２０の上面２０ａが露出する。
【００１５】
第２の部分１２は、第２の筐体３３と、ディスプレイモジュール３４とを有する。第２の筐体３３は、ディスプレイモジュール３４を収容する。第２の筐体３３の前面３３ａに、表示開口３６が設けられる。表示開口３６は、例えば、透明なガラス板又はアクリル板によって塞がれても良い。
【００１６】
ディスプレイモジュール３４は、例えば液晶ディスプレイ（ＬＣＤ）である。なお、ディスプレイモジュール３４はこれに限らず、プラズマディスプレイ、有機ＥＬディスプレイ（ＯＥＬＤ）、又は電子ペーパーのような、他の画像を表示する装置であっても良い。
【００１７】
ディスプレイモジュール３４は、表示開口３６によって露出されるスクリーン３４ａを有する。ディスプレイモジュール３４は、スクリーン３４ａに画像を表示する。なお、本明細書において画像とは、静止画、動画、色彩、文字を含む。
【００１８】
図２は、トップカバー２７を除いて第１の部分１１の一部を示す平面図である。図２に示すように、第１の部分１１は、プリント回路板（以下、ＰＣＢと称する）４１と、スマートカードモジュール４２と、集積回路（ＩＣ）４３と、コネクタ４４と、コンデンサのような種々の部品とを有する。ＰＣＢ４１は、部品の一例であり、例えば、壁、板、又は部材のようにも称され得る。コネクタ４４は、例えば、部品、取付部、接続部、又は結合部のようにも称され得る。
【００１９】
ボトムカバー２８は、底壁４６と、側壁４７とを有する。底壁４６及び側壁４７は、例えば、壁、外殻、又は筐体の一部のようにも、それぞれ称され得る。底壁４６は、第１の筐体２０の底面を形成する。側壁４７は、底壁４６の周縁から立ち上がり、第１の筐体２０の側面２０ｂの一部を形成する。
【００２０】
図３は、図２のＦ３−Ｆ３線に沿って、トップカバー２７を除いた第１の部分の一部を示す断面図である。図３に示すように、ＰＣＢ４１は、上面５１と、下面５２と、縁部５３と、を有する。上面５１は、第１の面の一例である。下面５２は、第２の面の一例であり、上面５１の反対側に位置する。縁部５３は、例えば、面、部分、端部、中間部、連結部、又は接続部のようにも称され得る。縁部５３は、上面５１と下面５２とをつなぐ。
【００２１】
第１の筐体２０が、ＰＣＢ４１及びスマートカードモジュール４２を収容する。ＰＣＢ４１及びスマートカードモジュール４２は、トップカバー２７とボトムカバー２８との間に位置する。ＰＣＢ４１は、例えば、ネジによって底壁４６に設けられたボスに固定される。ＰＣＢ４１の下面５２は、底壁４６に面する。縁部５３は、側壁４７に面する。
【００２２】
図２に示すように、外部接続コネクタ２４、ＩＣ４３、及びコネクタ４４は、ＰＣＢ４１の上面５１に取り付けられる。言い換えると、コネクタ４４は、上面５１に面する。なお、コネクタ４４はこれに限らず、例えば、上面５１に面する他の基板又は部品に実装されても良い。
【００２３】
図３に示すように、コネクタ４４は、ＰＣＢ４１の縁部５３に近接する。コネクタ４４は、挿入口５６を有する。挿入口５６は、コネクタ４４が隣接する縁部５３が向く方向に開口する。すなわち、挿入口５６は、側壁４７に向かって開口する。
【００２４】
図２に示すように、スマートカードモジュール４２は、リーダ／ライタ６１と、フレキシブルプリント配線板（以下、ＦＰＣと称する）６２とを有する。リーダ／ライタ６１は、例えば、部品、電子部品、部材、又はモジュールのようにも称され得る。ＦＰＣ６２は、例えば、ケーブル、配線、又は接続部のようにも称され得る。なお、「フレキシブルプリント配線板」は、フレキシブルフラットケーブル（ＦＦＣ）及びフレックスリジッドプリント配線板（リジッドフレキシブル基板）を含む、可撓性を有する絶縁層が、配線を形成する導電層を覆った部品を意味する。
【００２５】
リーダ／ライタ６１は、ＰＣＢ４１と、底壁４６との間に位置する。すなわち、スマートカードモジュール４２は、ＰＣＢ４１の下面５２に面する。リーダ／ライタ６１は、例えば、スマートカード（ＩＣカード）が挿入され、当該スマートカードに対して情報の入出力を行う。
【００２６】
図１に示すように、第１の筐体２０の側面２０ｂに、スロット６４が設けられる。リーダ／ライタ６１は、当該スロット６４に連通する。前記スマートカードは、スロット６４を通って、リーダ／ライタ６１に挿入される。
【００２７】
ＦＰＣ６２は、リーダ／ライタ６１と、コネクタ４４とを電気的に接続する。ＦＰＣ６２がコネクタ４４に接続されることで、スマートカードモジュール４２がＰＣＢ４１に電気的に接続される。
【００２８】
図４は、ＦＰＣ６２の一部を示す断面図である。図４に示すように、ＦＰＣ６２は、第１の絶縁層６６と、導電層６７と、第２の絶縁層６８と、を有する。なお、他の図において、ＦＰＣ６２は簡略化して示され、第１の絶縁層６６、導電層６７、及び第２の絶縁層６８は省略される。
【００２９】
第１及び第２の絶縁層６６，６８は、例えばポリイミドによって形成される。導電層６７は、例えば銅によって形成される。なお、第１の絶縁層６６、導電層６７、第２の絶縁層６８は、それぞれ他の材料によって形成されても良い。導電層６７は、第１の絶縁層６６と、第２の絶縁層６８との間にあり、配線を形成する。
【００３０】
ＦＰＣ６２の先端に、端子７１が設けられる。端子７１は、端子及び第１の端部の一例であり、例えば、部分、接続部、挿入部、係合部、支持部、又は嵌合部のようにも称され得る。端子７１は、第１の絶縁層６６が設けられず、導電層６７が露出した部分である。端子７１は、コネクタ４４の挿入口５６に挿入され、コネクタ４４に電気的に接続される。すなわち、ＦＰＣ６２の導電層６７が、コネクタ４４の導体部に電気的に接続される。
【００３１】
図３に示すように、ＦＰＣ６２は、第１の部分７３と、第２の部分７４と、第３の部分７５とを有する。第１の部分７３は、例えば、基部、延び部、又は配線部とも称され得る。第２の部分７４は、例えば、先端部、端部、延長部、又は配線部とも称され得る。第３の部分７５は、第３の部分及び屈曲区間の一例であり、例えば、屈曲部、湾曲部、曲げ部、又は回り込み部とも称され得る。
【００３２】
第１の部分７３は、リーダ／ライタ６１から延びる部分である。このため、第１の部分７３は、ＰＣＢ４１の下面５２に面する。第１の部分７３の基端７３ａはリーダ／ライタ６１に固定されている。しかし、第１の部分７３は弾性変形することにより、ＰＣＢ４１に対して移動可能である。第１の部分７３の基端７３ａは、第２の端部の一例であり、例えば、部分、接続部、固定部、支持部、又は取付部のようにも称され得る。
【００３３】
図２に示すように、第１の部分７３は、コネクタ４４が隣接する縁部５３に沿う方向に、リーダ／ライタ６１から延出する。第１の部分７３は、複数個所で直角に曲げられる。コネクタ４４が隣接する縁部５３に最も近い第１の部分７３の一部は、この縁部５３と直交する方向に延びる。なお、第１の部分７３はこれに限らず、例えばリーダ／ライタ６１から真直ぐ延びても良い。
【００３４】
図３に示すように、第２の部分７４の少なくとも一部は、ＰＣＢ４１の上面５１に面する。端子７１は、第２の部分７４に設けられる。このため、第２の部分７４の少なくとも一部は、コネクタ４４の挿入口５６に挿入される。
【００３５】
第３の部分７５は、第１の部分７３と第２の部分７４との間にある。第３の部分７５は、ＦＰＣ６２が、例えば、厚さ方向に、楕円状に約１８０°曲げられた部分である。なお、第３の部分７５はこれに限らない。第３の部分７５は、ＰＣＢ４１の縁部５３を回り込んで、第１の部分７３と第２の部分７４とをつなぐ。
【００３６】
第３の部分７５は、ＰＣＢ４１の厚さ方向に見たとき、ＰＣＢ４１の縁部５３よりも外側に出ている。言い換えると、ＦＰＣ６２は、ＰＣＢ４１の上面５１及び下面５２から外れた場所を通って引き回される。
【００３７】
さらに、第３の部分７５の中央部Ｃは、ＰＣＢ４１の厚さ方向に見たとき、ＰＣＢ４１から最も離れた部分である。言い換えると、第３の部分７５の中央部Ｃは、ＰＣＢ４１の上面５１又は下面５２に沿った方向における、第３の部分７５の頂部である。
【００３８】
第３の部分７５は、第１の部分７３の基端７３ａよりも、端子７１の近くにある。言い換えると、第３の部分７５の中央部Ｃから端子７１までの距離は、第３の部分７５の中央部Ｃから第１の部分７３の基端７３ａまでの距離よりも短い。
【００３９】
第３の部分７５は、内面７５ａと、外面７５ｂとを有する。内面７５ａは、第１の絶縁層６６の表面である。内面７５ａは、縁部５３に面する。外面７５ｂは、第２の絶縁層６８の表面であり、内面７５ａの反対側に位置する。外面７５ｂは、側壁４７に面する。言い換えると、第３の部分７５は、ＰＣＢ４１の縁部５３と、ボトムカバー２８の側壁４７との間に位置する。
【００４０】
ＦＰＣ６２の端子７１に、補強板８１が取り付けられる。補強板８１は、補強部材の一例であり、例えば、剛性部材、スペーサ、貼付部材、又は部材のようにも称され得る。補強板８１は、例えばポリイミドによって形成される。
【００４１】
図４に示すように、補強板８１は、例えば接着剤によって、第２の絶縁層６８に貼り付けられる。言い換えると、図３に示すように、補強板８１は、第２の部分７４の端子７１が設けられた部分の外面に貼り付けられる。補強板８１は、端子７１とともにコネクタ４４の挿入口５６に挿入される。
【００４２】
ＦＰＣ６２に、タブ８３が取り付けられる。タブ８３は、例えば、部材、部品、引張部、ガイド部、被覆部、又は保護部のようにも称され得る。タブ８３は、例えば、第１及び第２の絶縁層６６，６８と同じくポリイミドによって形成され、弾性を有するテープである。なお、タブ８３はこれに限らず、他の材料によって形成されても良い。
【００４３】
タブ８３は、取付部８５と、延出部８６とを有する。取付部８５は、例えば、接着部、固定部、又は端部のようにも称され得る。延出部８６は、例えば、自由部、引張部、ガイド部、操作部、摘み部、保護部、被覆部、屈曲部、又は湾曲部のようにも称され得る。
【００４４】
取付部８５は、例えばタブ８３の端部である。取付部８５は、例えば、接着剤８８によって、第１の部分７３の、底壁４６に面する外面に取り付けられる。すなわち、取付部８５は、第２の絶縁層６８に取り付けられる。言い換えると、取付部８５は、第３の部分７５の中央部Ｃと、第１の部分７３の基端７３ａとの間でＦＰＣ６２に結合される。
【００４５】
取付部８５は、補強板８１から離れている。この補強板８１が取り付けられる端子７１と、ＦＰＣ６２の取付部８５が取り付けられる部分と、の間に、曲げられるとともに縁部５３を回り込む第３の部分７５が形成される。
【００４６】
第１の部分７３の取付部８５が取り付けられる部分は、第３の部分７５から離れている。すなわち、取付部８５は、ＦＰＣ６２の曲げられる部分から離れた部分に取り付けられる。なお、第１の部分７３の取付部８５が取り付けられる部分も、曲げられて良い。この場合、第３の部分７５の曲率半径は、第１の部分７３の取付部８５が取り付けられる部分の曲率半径よりも小さい。
【００４７】
別の表現をすると、取付部８５は、ＦＰＣ６２の、縁部５３に面する曲げられた部分を外れた部分に取り付けられる。さらに別の表現をすると、取付部８５は、ＰＣＢ４１の、縁部５３が向く方向において縁部５３から最も離れた部分を外れた部分に取り付けられる。
【００４８】
延出部８６は取付部８５から端子７１側に延びる。図４に示すように、延出部８６は、ＦＰＣ６２に沿って、取付部８５からＦＰＣ６２の端子７１に向かって延びる。なお、延出部８６は、部分的に、ＦＰＣ６２と交差する方向に延びても良い。すなわち、延出部８６は、曲がっていても良い。
【００４９】
取付部８５の先において、ＦＰＣ６２は、タブ８３よりも短い。すなわち、ＦＰＣ６２の、取付部８５が取り付けられた部分から、端子７１までの長さＬ１は、タブ８３の、取付部８５から延出部８６の先端までの長さＬ２よりも短い。なお、ＦＰＣ６２の長さＬ１は、タブ８３の長さＬ２より長くとも良い。
【００５０】
図３に示すように、タブ８３の延出部８６は、ＦＰＣ６２の第３の部分７５に沿って、約１８０°曲げられる。延出部８６は、第３の部分７５の外面７５ｂを覆う。さらに、延出部８６は、第２の部分７４と、コネクタ４４とを覆う。
【００５１】
図５は、ＦＰＣ６２が取り付けられたコネクタ４４を示す斜視図である。図５に示すように、タブ８３の延出部８６は、例えばテープ９１によって、ＰＣＢ４１の上面５１に固定される。なお、延出部８６はこれに限らず、例えば、爪に引っ掛けられることにより、又は孔に挿入されることにより、ＰＣＢ４１に固定されても良い。
【００５２】
以下に、ＦＰＣ６２をコネクタ４４に取り付ける方法の一例について説明する。なお、ＦＰＣ６２をコネクタ４４に取り付ける方法は、以下に説明されるものに限らない。
【００５３】
図６は、ＰＣＢ４１及びＦＰＣ６２の一部を示す断面図である。図６に二点鎖線で示すように、ＰＣＢ４１の下面５２に沿って延びるＦＰＣ６２が、約１８０°曲げられる。これにより、ＦＰＣ６２の一部が湾曲し、第３の部分７５が形成される。
【００５４】
ＦＰＣ６２は弾性を有するため、曲げられることで、真直ぐな状態に戻ろうとする反発力を生じさせる。このようなＦＰＣ６２は、例えば、作業者に保持されたタブ８３に押されて曲げられる。すなわち、作業者は、タブ８３越しにＦＰＣ６２を押さえることができる。なお、ＦＰＣ６２は、作業者に直接摘まれて曲げられても良い。
【００５５】
曲げられたＦＰＣ６２の端子７１が、コネクタ４４の挿入口５６に宛がわれる。言い換えると、ＦＰＣ６２の先端が、挿入口５６に引っ掛けられる。この際、端子７１が部分的に挿入口５６に挿入されても良い。
【００５６】
図７は、ＰＣＢ４１と、コネクタ４４に挿入されるＦＰＣ６２とを部分的に示す断面図である。図７に矢印で示すように、タブ８３の延出部８６が例えば作業者によって引っ張られる。これにより、延出部８６が、第３の部分７５の外面７５ｂを、コネクタ４４の挿入口５６に向かって押す。さらに、タブ８３に引っ張られるＦＰＣ６２が繰り出されることで、ＦＰＣ６２の先端に位置する端子７１が、コネクタ４４の挿入口５６の内部に向かって進む。これにより、端子７１が、挿入口５６に挿入される。
【００５７】
タブ８３は、反発力により真直ぐな状態に戻ろうとするＦＰＣ６２を押さえながら引っ張られても良い。すなわち、タブ８３は、ＦＰＣ６２の端子７１を、コネクタ４４の挿入口５６にガイドするために用いられる。
【００５８】
ＦＰＣ６２の端子７１がコネクタ４４の挿入口５６に挿入されると、延出部８６が、第２の部分７４、第３の部分７５、及びコネクタ４４を覆う。この状態で、テープ９１により、延出部８６がＰＣＢ４１に固定される。以上により、ＦＰＣ６２がコネクタ４４に取り付けられる。
【００５９】
第１の実施の形態に係るポータブルコンピュータ１０において、タブ８３の取付部８５が、第１の部分７３に取り付けられる。ＦＰＣ６２の取付部８５が取り付けられる部分は、タブ８３によって厚くなることでより硬くなる。当該取付部８５が取り付けられた部分が、曲げられる第３の部分７５ではなく、第１の部分７３に設けられる。これにより、取付部８５が取り付けられた部分の端部（ＦＰＣ６２における取付部８５が取り付けられた領域と他の領域との間の境界部分）において、ＦＰＣ６２の曲がりによる応力集中が生じることを抑制できる。
【００６０】
さらに、タブ８３の延出部８６が、取付部８５から端子７１に向かって延びる。このため、例えばＦＰＣ６２がコネクタ４４に取り付けられる際に、ＦＰＣ６２の急な折れ曲がりと、それによる応力の集中とが生じることを抑制できる。したがって、応力集中によるＦＰＣ６２の損傷を抑制できる。
【００６１】
取付部８５と、ＦＰＣ６２がコネクタ４４によって支持される部分である端子７１と、の間の距離が近いほど、ＦＰＣ６２の取付部８５が取り付けられた部分の端部に応力集中が生じやすくなるおそれがある。これに対し、取付部８５は、端子７１が設けられた第２の部分７４から遠い位置である、第３の部分７５の中央部Ｃと第１の部分７３の基端７３ａとの間で、ＦＰＣ６２に固定される。さらに詳しく言えば、取付部８５は、第１の部分７３に取り付けられる。
【００６２】
端子７１から離れた位置でタブ８３がＦＰＣ６２に取り付けられることで、端子７１をコネクタ４４に取り付けるためにタブ８３が操作されるとき、ＦＰＣ６２の、取付部８５と端子７１との間の部分が弾性変形しやすい。当該弾性変形により力が逃げ、ＦＰＣ６２の局部に応力が集中しにくくなる。したがって、応力集中によるＦＰＣ６２の損傷を抑制できる。
【００６３】
タブ８３の取付部８５は、補強板８１から離れた位置でＦＰＣ６２に取り付けられる。これにより、タブ８３が操作された際に、ＦＰＣ６２の、補強板８１が取り付けられた部分の端部に応力が集中することを抑制できる。したがって、ＦＰＣ６２の損傷を抑制できる。
【００６４】
タブ８３の延出部８６の長さＬ２が、ＦＰＣ６２の取付部８５から端子７１までの長さＬ１よりも長い。このため、タブ８３は、ＦＰＣ６２を押さえ、端子７１をコネクタ４４に導くことができる。これにより、例えば作業者がＦＰＣ６２に直接触れることが抑制され、ＦＰＣ６２に傷や汚れが生じることを抑制できる。
【００６５】
タブ８３の延出部８６が、ＦＰＣ６２の第３の部分７５を覆う。これにより、ＦＰＣ６２の第３の部分７５に、例えば他の部品が擦れることによる傷や汚れが生じることを抑制できる。したがって、ＦＰＣ６２の損傷を抑制できる。
【００６６】
タブ８３の延出部８６が、第３の部分７５の外面７５ｂを覆う。これにより、延出部８６が第３の部分７５の外面７５ｂを押すことができ、タブ８３によってＦＰＣ６２が容易にコネクタ４４に取り付けられる。
【００６７】
タブ８３の延出部８６が、テープ９１によってＰＣＢ４１に固定される。これにより、例えばタブ８３の弾性力により、タブ８３が第３の部分７５から離れることが抑制される。
【００６８】
タブ８３の取付部８５が、曲げられる第３の部分７５から離れている。これにより、ＦＰＣ６２の、取付部８５が取り付けられる部分の端部に、曲げによる応力が集中することがさらに抑制される。
【００６９】
第１の部分７３がＰＣＢ４１に対して移動可能であるため、タブ８３が操作される際、ＦＰＣ６２が移動できる。このため、当該移動により力が逃げ、ＦＰＣ６２の局部に応力が集中しにくくなる。したがって、応力集中によるＦＰＣ６２の損傷を抑制できる。
【００７０】
なお、取付部８５は、第１の部分７３に限らず、他の場所に取り付けられても良い。取付部８５は、例えば、第３の部分７５に取り付けられても良い。取付部８５は、例えば、第３の部分７５の中央部Ｃと、第１の部分７３との間に取り付けられる。
【００７１】
以下に、第２の実施の形態について、図８を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００７２】
図８は、第２の実施の形態に係るＰＣＢ４１及びＦＰＣ６２を示す断面図である。図８に示すように、第２の実施形態の取付部８５は、ＦＰＣ６２の第２の部分７４に取り付けられる。取付部８５は、補強板８１から離れている。延出部８６は、取付部８５から、ＦＰＣ６２に沿って、端子７１に向かう方向に延びる。
【００７３】
ＦＰＣ６２がコネクタ４４に取り付けられる際、タブ８３の延出部８６が例えば作業者によって引っ張られる。これにより、延出部８６が、端子７１が設けられた第２の部分７４を、コネクタ４４の挿入口５６に向かって引っ張る。これにより、端子７１が、挿入口５６に挿入される。
【００７４】
第２の実施形態のポータブルコンピュータ１０によれば、取付部８５が、ＦＰＣ６２の第２の部分７４に取り付けられる。これにより、タブ８３を引っ張る力が、端子７１に伝わりやすい。したがって、端子７１をより安定的にコネクタ４４に取り付けることができる。
【００７５】
以下に、第３の実施の形態について、図９及び図１０を参照して説明する。図９は、第３の実施の形態に係るＰＣＢ４１及びＦＰＣ６２を示す断面図である。第３の実施形態では、補強板８１及びタブ８３の代わりに、タブ１００がＦＰＣ６２に取り付けられる。タブ１００は、タブの一例である。
【００７６】
図９に示すように、タブ１００は、取付部１０１と、延出部１０２とを有する。取付部１０１は、第２の部分７４の端子７１が設けられた部分に、例えば接着剤によって取り付けられる。取付部１０１は、第３の部分７５から離れた位置で、第２の部分７４に取り付けられる。取付部１０１は、端子７１とともに、コネクタ４４の挿入口５６に挿入される。延出部１０２は、ＦＰＣ６２に沿って、取付部１０１から、第３の部分７５に向かう方向に延びる。
【００７７】
ＦＰＣ６２がコネクタ４４に取り付けられる際、タブ１００の延出部１０２が、例えば作業者によって押される。これにより、延出部１０２が、端子７１が設けられた第２の部分７４を、コネクタ４４の挿入口５６に向かって押す。これにより、端子７１が、挿入口５６に挿入される。
【００７８】
図１０は、ＰＣＢ４１とコネクタ４４に取り付けられたＦＰＣ６２とを部分的に示す断面図である。図１０に示すように、ＦＰＣ６２がコネクタ４４に取り付けられると、延出部１０２は、第３の部分７５に沿って曲げられる。当該曲げられた延出部１０２は、ボトムカバー２８の側壁４７の内面に接触させられる。
【００７９】
延出部１０２は、側壁４７に押さえられ、側壁４７に固定される。なお、延出部１０２は、例えば、爪に引っ掛けられることにより、又は孔に挿入されることにより、側壁４７に固定されても良い。また、延出部１０２は、底壁４６や、他の部品に固定されても良い。曲げられるとともに固定された延出部１０２は、ＦＰＣ６２の第３の部分７５の外面７５ｂを覆う。
【００８０】
第３の実施形態のポータブルコンピュータ１０によれば、タブ１００の取付部１０１が、第２の部分７４に取り付けられる。これにより、取付部１０２が取り付けられた部分の端部において、ＦＰＣ６２の曲がりによる応力集中が生じることを抑制できる。したがって、応力集中によるＦＰＣ６２の損傷を抑制できる。
【００８１】
さらに、延出部１０２は、第３の部分７５を覆う。これにより、ＦＰＣ６２の第３の部分７５に、例えば他の部品が擦れることによる傷や汚れが生じることを抑制できる。したがって、ＦＰＣ６２の損傷を抑制できる。
【００８２】
タブ１００の延出部１０２は、取付部１０１から、第３の部分７５に向かう方向に延びる。延出部１０２が作業者によって押されることで、端子７１がより容易にコネクタ４４に取り付けられる。
【００８３】
以上説明した少なくとも一つの実施形態によれば、フレキシブルプリント配線板の、曲げられる第３の部分ではなく、部品の第１及び第２の面にそれぞれ面する第１の部分又は第２の部分に、タブの取付部が取り付けられる。これにより、フレキシブルプリント配線板の損傷を抑制できる。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８５】
例えば、部品はＰＣＢ４１に限らず、例えば、光学ディスクドライブ（ＯＤＤ）や、筐体の一部であっても良い。さらに、ＦＰＣ６２は、スマートカードモジュール４２の一部に限らず、他の部品の一部であったり、独立して設けられたりしても良い。ＦＰＣ６２は、例えば、二つの筐体の間に亘って配線され、一つの筐体に収容される部品と、他の筐体に収容される他の部品とを接続しても良い。
【００８６】
また、タブ８３の延出部８６とタブ１００の延出部１０２とは、第３の部分７５の内面７５ａを覆っても良い。言い換えると、延出部８６，１０２は、縁部５３と第３の部分７５との間に位置し、例えば第３の部分７５が縁部５３に接触することを抑制しても良い。
【符号の説明】
【００８７】
１０…ポータブルコンピュータ、４１…ＰＣＢ、４４…コネクタ、５１…上面、５２…下面、５３…縁部、６２…フレキシブルプリント配線板（ＦＰＣ）、７１…端子、７３…第１の部分、７４…第２の部分、７５…第３の部分、７５ａ…内面、７５ｂ…外面、８１…補強板、８３，１００…タブ、８５，１０１…取付部、８６，１０２…延出部。
【図１】
2015056265.tif 000003
【図２】
2015056265.tif 000004
【図３】
2015056265.tif 000005
【図４】
2015056265.tif 000006
【図５】
2015056265.tif 000007
【図６】
2015056265.tif 000008
【図７】
2015056265.tif 000009
【図８】
2015056265.tif 000010
【図９】
2015056265.tif 000011
【図１０】
2015056265.tif 000012